(57)【要約】      （修正有）【課題】クサビの原理を応用した、ボルトの緩み止めを提供する。【解決手段】接合材に設けたボルト貫通穴９の開口部前に設けた円筒穴７に、クサビ１と当て板４を、クサビの押圧面を突き出した状態で嵌めこみ、貫通穴にボルト１０を入れ、ボルトの頭１１を螺旋回転させて、前記ボルト頭の下面で座金１２を介して前記クサビを円筒穴７に押し込ませることで、当て板の作用面が前記ボルトのネジ山に噛合い、ボルトの緩み止めをする。【選択図】図７
0003188836.tif 000002
【実用新案登録請求の範囲】
【請求項１】
テーパー面を内側にして曲げられた弾性のある閉じてない輪のクサビ１と、テーパー面を外側にして曲げられた弾性のある閉じてない輪の当て板４を、前記当て板を内側にして、前記当て板と前記クサビのテーパー面を合わせて重ね、押圧面２を外に突き出したまま、ボルト貫通穴９の開口部前に設けた円筒穴７に装着し、ボルト１０又はナット８を螺旋回転させて、前記クサビの押圧面に垂直に力を加え、前記クサビと前記当て板を動かし、前記当て板の作用面５で、前記ボルトを周囲から締めつける、ボルト締結の緩み止め。
【請求項２】
前記ボルトのネジ山に噛合う、凸凹１４を前記当て板の前記作用面に施した、請求項１記載のボルト締結の緩み止め。
【請求項３】
請求項１に記載の前記円筒穴を設けたナット８を用いる、請求項１記載のボルト締結の緩み止め。
【考案の詳細な説明】
【技術分野】
【０００１】  本考案は、ボルト締結でクサビの原理を応用した、ボルトの緩み止めに関するものである。
【背景技術】
【０００２】従来のボルトの緩み止めで、クサビの原理を応用したものがいくつかある。ボルト貫通穴の開口部に設けた逆円錐型のクサビ用の隙間に同形のクサビを入れて緩み止めをしようとするもの。ボルトを締めるナットが二重になっていて、上部のナットの締めつけで、下部のナットの一部に歪みを与え、緩み止めをしようとするもの。接合する二つの材の、下側になる材にボルトとクサビが入る円筒穴を設け、クサビを構成する二つの管を入れてから、接合する別の材を被せて、上になった接合材のボルト貫通穴にボルトを入れ、ボルトの螺旋回転により内部のねじ切りのあるクサビ管と螺合させて、ボルトの緩み止めをしようとするものがある。
【先行技術文献】
【特許文献】
【０００３】
【特許文献１】特開２００４−３４０１６５号  公報
【特許文献２】特開２００２−１９５２３６号  公報
【特許文献３】特開２００６−０８４０１７号
【考案の概要】
【考案が解決しようとする課題】
【０００４】  ボルト貫通穴の開口部に設けた逆円錐形のクサビ用の隙間に同形のクサビを入れるものでは、ボルト貫通穴にボルトを入れると逆円錐形のクサビに、ボルトのネジ山が接し摩擦がおき、逆円錐形のクサビとボルトの間にクサビ効果が生じてしまい、ボルトの螺旋回転の妨げになり、作業が進まない。ボルトを締めるナットが二重になっているものでは、上部のナットの一部が、下部のナットの一部を外側から締めつけ、下部のナットの一部を内側に歪ませて、ボルトに圧力を加えようとしているが、下部ナットの反発力を受け、ボルトに到達する圧力が小さくなる。また、二つのナットを締めつけるので作業が複雑になり、作業精度にもばらつきが生じやすい。接合する二つの材の、下側になる材にボルトとクサビが入る円筒穴を設けるものでは、接合する二つの材を重ねるときに、二つの管で構成されるクサビを、その円筒穴に入れておいてから重ね、上になる材のボルト貫通穴から、ボルトを入れ、ボルトの螺旋回転により、ねじ切りの入ったクサビ管とボルトが螺合し、クサビ管を動かすが、円筒管の内部だけではクサビ管の移動長さが短く、クサビが有効に働かない。以上のように、接合する部材間の隙間に押し入り、接合を強固にするクサビの原理を有効に利用したものがなかった。
【課題を解決するための手段】
【０００５】  本考案は、接合材又はナットのボルト貫通穴の開口部前に設けた円筒穴に、閉じない輪のクサビと閉じない輪の当て板のテーパー面を合わせ、当て板を内側にして重ね、弾性を利用して、クサビの押圧面を突き出した状態で装着し、ボルト頭部の下面又は接合材の表面にクサビの押圧面が押されて、クサビが円筒穴と当て板で出来た隙間に、当て板を押しながら入り、当て板の輪が縮まり、当て板の内側の作用面が、ボルト側に近づいて行き、最終段階でボルトに接触するので作業の途中で摩擦が生ぜず、緩み止め作用のあるボルト締めが出来る。
【考案の効果】
【０００６】  上述の様に、本考案は、円筒穴から突き出たクサビの押圧面が、ボルト頭の下面または接合材の表面に押されてから、クサビが動き始まるので、作業の途中にクサビの目視ができ、確認しながら作業が出来るし、ボルト又はナットの螺旋回転の締めつけの完了時に、当て板の作用面が周囲からボルトを締めつけて、ネジ山に噛合うので、クサビの原理を応用した緩みを止めが出来る。また、ボルト及びナットの締めつけによるネジ山へのボルトの軸方向の圧力と、当て板によるボルトのネジ山への軸方向と垂直な方向への圧力が同時にかかるので、緩み防止効果が大きくなる。なお、ボルト頭の下面またはナットの下面と接合材との接着時の締めつけで、すべての作業が終わるので、緩み防止にバラツキは生じないし、ナットが一個なので作業も容易である。さらに、ボルトの緩み止めの可動部がクサビと当て板の二つから出来ているので、クサビの硬度を保ったまま、当て板の硬度を変えたり、当て板の作用面に凹凸を与えたりすると、緩み止めに強弱の違いのあるものを製作出来るので、ボルト及びナットを緩める有無や回数の違いに対応できて利用方法が広がる。
【図面の簡単な説明】
【０００７】
【図１】本考案のクサビの断面図である。
【図２】本考案の当て板の断面図である。
【図３】本考案のクサビの平面図である。
【図４】本考案の当て板の平面図と作用面の一部の拡大図である。
【図５】本考案のクサビと当て板の組み合の平面図である。
【図６】本考案のナットの円筒穴にクサビと当て板が装着した断面図である。
【図７】本考案の円筒穴にクサビと当て板を装着した断面図である。
【図８】本考案のナットの円筒穴にクサビと当て板が装着された斜視図である。
【考案を実施するための形態】
【０００８】  接合材及びナットの、ボルト貫通穴の開口部前の円筒穴に、閉じない輪の当て板とクサビを、当て板を内側にして、互いのテーパー面を合わせて重ね、クサビの押圧面を突き出したまま、当て板とクサビの弾力を利用して、円筒穴から外れないように装着する。接合材の円筒穴に、クサビと当て板を装着した場合は、ボルトをボルト貫通穴に挿入し、ボルトを螺旋回転させて座金をクサビの押圧面に押し当て、円筒穴に押し込み、ボルト頭の下面と接合材が座金を介して接着したら、締めつけを行う。ナットの円筒穴に、クサビと当て板を装着した場合は、ナットをボルトに嵌め込み、ナットを螺旋回転させて、接合材にクサビの押圧面を押し当て、クサビを円筒穴に押し込み、ナットの下面または座金と接合材が接着したら、締めつけを行う。
【実施例１】
【０００９】  以下、添付図面に従って一実施例を説明する。１はクサビ、４は当て板、７は円筒穴、８は円筒穴のあるナット、９はボルト貫通穴。ナット８の円筒穴７にクサビ１と当て板４を装着する。【００１０】  接合する材のボルト貫通穴９から出ているボルト１０の端部に、クサビ１と当て板４を装着したナット８を、接合材に円筒穴７を向けた状態で嵌めこみ、螺旋回転させて接合材の表面でクサビの押圧面２を押し、クサビ１を円筒穴７に押し込み、ナット８の下面と接合材が接着したら、締めつけを行う。
【実施例２】
【００１１】  以下、添付図面に従って一実施例を説明する。１はクサビ、４は当て板、７は円筒穴、１３は接合材、１０はボルト、１１はボルト頭、１２は座金。１３の接合材の７の円筒穴に１のクサビと４の当て板を装着する。【００１２】  円筒穴７にクサビ１と当て板４を装着させた接合する材１３の貫通穴９に、座金１２を嵌めたボルト１０を挿入し、螺旋回転させてボルト頭１１の下面で、座金１２を介してクサビの押圧面２を押し、クサビ１を円筒穴７に押し込み、ボルト頭１１の下面が座金１２を介して接合材１３に接着したら、締めつけを行う。
【符号の説明】
【００１３】１    クサビ
２    クサビの押圧面
３    クサビの輪の空き
４    当て板
５    当て板の作用面
６    当て板の輪の空き
７    円筒穴
８    ナット
９    ボルト貫通穴
１０    ボルト
１１    ボルト頭
１２    座金
１３    接合材
１４    作用面の凹凸
【図１】
0003188836.tif 000003
【図２】
0003188836.tif 000004
【図３】
0003188836.tif 000005
【図４】
0003188836.tif 000006
【図５】
0003188836.tif 000007
【図６】
0003188836.tif 000008
【図７】
0003188836.tif 000009
【図８】
0003188836.tif 000010